(57)【要約】【課題】スクリーン装置を、建物開口部からの眺望性を損なうことなく設置できるようにした該スクリーン装置の取付機構を提供する。【解決手段】スクリーンの両端に固定框４と可動框５とを設けたスクリーン装置を建物開口部枠１０に設置するための取付機構であって、建物開口部枠の縦枠の内側に固定框を収容する取付溝１１を設け、該取付溝の内底に、固定框の係止板１４に係脱するラッチ部材２０を上下動可能にガイドするガイド板１６を固定する。ラッチ部材は、取付溝の内側面にガイドされて摺動する一対の摺動側壁２３を備え、それを取付溝の口部側から操作可能な部位まで伸長させてラッチ操作部２３ａとする。上記摺動側壁の取付溝内側面への接触面の摺動方向長さを該接触面の幅よりも大きく形成し、その摺動を安定化させる。ラッチ部材には、固定框の係止板に設けた切欠き部１５に係止する係止鈎２６を設ける。【選択図】図７
2014227806.tif 000002
【特許請求の範囲】
【請求項１】
スクリーンの一端側を保持して該スクリーンを収納可能にした固定框、及び該スクリーンの他端側に連結して該スクリーンを開閉自在とした可動框を備えたスクリーンユニットを、建物開口部枠の内側に設置するためのスクリーン装置の取付機構であって、
上記建物開口部枠の一対の縦枠のうちの少なくとも一方の内側に、上記固定框を収容する取付溝を設けて、該取付溝の内底に、上記固定框に係脱するラッチ部材を上下動可能にガイドするガイド板を固定し、
上記ラッチ部材は、上記建物開口部枠における取付溝の内側面にガイドされて摺動する一対の摺動側壁を備え、該摺動側壁の少なくとも一方を上記取付溝の口部側から操作可能な部位まで伸長させて、その先端部をラッチ操作部とし、上記摺動側壁における取付溝内側面への接触面の上下摺動方向長さを、それに直交する該接触面の幅よりもそれぞれ大きく形成し、
上記固定框における建物開口部枠の取付溝底に対面する側には、該固定框の長手方向に沿う係止板を設けて、その一部に切欠き部を形成し、
上記ラッチ部材には、該係止板の切欠き部を通して該切欠き部の内側に係止する係止鈎を設け、
上記建物開口部における取付溝の所定位置に固定框が装嵌された状態で、上記ラッチ部材の前記ガイド板に沿う上下移動により、上記係止板の切欠き部と上記ラッチ部材の係止鈎とを対向部位に位置させることができ、ラッチ部材の上記対向部位からのガイド板に沿う上下移動により、上記ラッチ部材の係止鈎が上記係止板の切欠き部の縁部に係止するような位置的関係を持たせて、上記係止板の切欠き部と上記ラッチ部材の係止鈎とが配設されている、
ことを特徴とする建物開口部枠へのスクリーン装置の取付機構。
【請求項２】
上記固定框において、建物開口部枠の取付溝底に対面させて設ける上記係止板を、該固定框よりも幅狭の板状に形成して、該係止板の両側縁の対応位置にそれぞれ切欠き部を形成し、
上記ラッチ部材における建物開口部枠の取付溝の内側面にガイドされて摺動する一対の摺動側壁の内側面に、上記係止板の各切欠き部を通して該切欠き部の縁部に係止する一対の係止鈎を設けた、
ことを特徴とする請求項１に記載の建物開口部枠へのスクリーン装置の取付機構。
【請求項３】
ラッチ部材における取付溝の内底面に当接して、その両側に上記一対の摺動側壁を相互に連結した摺動底壁の中央部に、該取付溝の長手方向に向く長孔を設け、該長孔内に嵌入して該取付溝の内底面にねじ固定したガイド板の側縁凸条を、上記長孔の対向内側縁上にそれぞれ係止させることにより、上記ラッチ部材を取付溝の溝底に沿ってガイドされるように保持させた、
ことを特徴とする請求項１又は２に記載の建物開口部枠へのスクリーン装置の取付機構。
【請求項４】
上記ラッチ部材の摺動側壁を上記取付溝の口部の外側まで伸長させて、その先端部を該取付溝の口部外面に沿うように屈曲させ、該屈曲部をラッチ操作部とした、
ことを特徴とする請求項１〜３のいずれかに記載の建物開口部枠へのスクリーン装置の取付機構。
【請求項５】
建物開口部枠の一方の縦枠の内側に、スクリーンの一端側を保持して該スクリーンを収納可能にした固定框を収容する取付溝を、また、建物開口部枠の他方の縦枠の内側に、該スクリーンの他端側に連結した可動框がスクリーンの展張時に当接する受け框を収容する取付溝をそれぞれ備え、
受け框についても、上記固定框と同じ取付機構で建物開口部枠の内側に取付可能に構成している、
ことを特徴とする請求項１〜４のいずれかに記載の建物開口部枠へのスクリーン装置の取付機構。
【発明の詳細な説明】
【技術分野】
【０００１】
本発明は、建物開口部枠自体の内側の取付溝内にスクリーン装置を取り付けるためのスクリーン装置の取付機構に関するものである。
【背景技術】
【０００２】
従来から、建物開口部枠に横引きのスクリーン装置を設置する場合、スクリーンの一端側を収納可能に保持する固定框及びスクリーンの他端側に取り付けた開閉操作用可動框が当接する受け框を、上記建物開口部枠の縦枠に対して該開口部の内側にねじ止めその他の固定手段で取り付けるのが極めて一般的である。
【０００３】
しかしながら、建物開口部枠の内側にスクリーン装置の一端側の固定框及び他端側の可動框を受ける受け框を取り付けると、それだけ建物開口部の横幅が狭められて、眺望性を損なうことになり、この問題を解決するためには、スクリーン装置の上記固定框や受け框を建物開口部枠の室内側に設置したり、建物開口部枠の内側に取付溝を設けてその内部に上記固定框や受け框を収容する必要があるが、前者の場合には室内側に圧迫感が生じるので望ましいものではなく、後者の方式がより望ましい。
なお、スクリーン装置では、スクリーンの展張時にはスクリーン自体により眺望性が少なからず損なわれるので、スクリーンの収納時における建物開口部の横幅を確保することが特に重要である。
【０００４】
上述したところから、特にスクリーンの収納時に建物開口部の横幅が狭められることなく、そのため、眺望性を損なうことがない状態で建物開口部枠にスクリーン装置を設置するには、建物開口部枠の内側に取付溝を設けて、その内部にスクリーン装置の固定框や可動框を含む受け框を収容するのがより望ましいが、この場合には、上記建物開口部枠の上記取付溝内へのスクリーン装置の固定框や受け框の取付構造、及びそれらの取り付けや取り外しの作業性において問題がある。
【０００５】
即ち、建物開口部枠の内側にスクリーン装置の一端側の固定框、及び他端側に取り付けた可動框が当接する受け框を取り付けるに際して、上述の極めて一般的に利用されているねじ止め等の固定手段を用いようとすると、型材により形成された固定框に取り付けられているところのスクリーンや、それに挿通したワイヤー等を一旦固定框から取り外したうえで、該固定框をねじ止め等で固定する必要があって、その操作が非常に煩雑であり、その作業に不慣れなユーザーにおいてスクリーン装置の着脱、交換等の作業を行うことが困難である。
【０００６】
一方、特許文献１や特許文献２に開示されているスクリーン装置の取付機構は、建物開口部枠の内側面に直接スクリーン装置を取り付けるものではあるが、その取り付け等の作業性を改善するもので、特許文献１に開示のものは、建物開口部枠側に予め固定框を係止させる第１の係止部材を固定的に取り付けておき、建物開口部枠に当接させる固定框の底面に上下可動に支持させた第２の係止部材を、上記固定框の底面側から側方に突出させた操作部の操作により前記第１の係止部に係止させて、固定框の固定・離脱を簡単に行うことができるようにしたものである。また、特許文献２に開示のものでは、予め建物開口部枠の内側に取り付けておく側枠を用い、該側枠の側面に設けた操作子により固定框や受け框を固定できるようにしている。
【０００７】
しかしながら、上述したように、建物開口部枠の内側に取付溝を設けてその内部にスクリーン装置の固定框や受け框を取付可能にする場合には、特許文献１の操作部や特許文献２の操作子に相当するものを設置できないばかりでなく、上記固定框や受け框を取付溝内に係脱させるための操作用部材は、必然的に、取付溝の口部外から操作可能であることが必要であり、その操作用部材の操作性も円滑であることが望まれる。また、上記取付溝の溝底に設置する部材は、その取付位置が溝底であることから、取り付けの作業性において非常にすぐれていることが望まれる。
【先行技術文献】
【特許文献】
【０００８】
【特許文献１】特開２００７−００９６７４号公報
【特許文献２】特開２０１２−１８０６３６号公報
【発明の概要】
【発明が解決しようとする課題】
【０００９】
本発明の技術的課題は、建物開口部からの眺望性を損なうことがない状態で建物開口部枠の内側にスクリーン装置を設置するために、建物開口部枠の内側に取付溝を設けてその内部にスクリーン装置の固定框や受け框を取付可能にするにあたり、該固定框や受け框を取付溝内に係脱させるための操作用部材を、該取付溝の口部外から容易に操作可能にし、しかも、その操作性において非常に円滑なものとして構成したところの該スクリーン装置の取付機構を提供することにある。
また、本発明の他の技術的課題は、上記取付溝の溝底側に設置する部材の該溝底への取り付けを、作業性において非常にすぐれたものとしたところの該スクリーン装置の取付機構を提供することにある。
【００１０】
なお、上記スクリーンの一端側を保持する固定框は、それに収納時のスクリーンを保持させるため、スクリーンの他端側に取り付ける可動框が当接する受け框に比して必要な見附が大きくなり、それを建物開口部枠の内面に設置した場合には、それだけ大きく建物開口部の横幅を狭めることになるが、上記受け框は建物開口部の横幅を殆ど狭めないこともある。そのため、何らかの理由により該受け框の取付溝を上記固定框の取付溝と同程度にする必要があったり、また、スクリーン装置が両開きであったり、更にスクリーン装置の開閉の左右勝手を変更可能にするなどの特別の事情がある場合は兎も角、そのような事情がなければ、上記スクリーンの一端を固定する固定框側のみについて、建物開口部枠に設けた比較的深い取付溝内に該固定框を収容するように構成することができる。
【課題を解決するための手段】
【００１１】
上記課題を解決するため、本発明によれば、スクリーンの一端側を保持して該スクリーンを収納可能にした固定框、及び該スクリーンの他端側に連結して該スクリーンを開閉自在とした可動框を備えたスクリーンユニットを、建物開口部枠の内側に設置するためのスクリーン装置の取付機構であって、上記建物開口部枠の一対の縦枠のうちの少なくとも一方の内側に、上記固定框を収容する取付溝を設けて、該取付溝の内底に、上記固定框に係脱するラッチ部材を上下動可能にガイドするガイド板を固定し、上記ラッチ部材は、上記建物開口部枠における取付溝の内側面にガイドされて摺動する一対の摺動側壁を備え、該摺動側壁の少なくとも一方を上記取付溝の口部側から操作可能な部位まで伸長させて、その先端部をラッチ操作部とし、上記摺動側壁における取付溝内側面への接触面の上下摺動方向長さを、それに直交する該接触面の幅よりもそれぞれ大きく形成し、上記固定框における建物開口部枠の取付溝底に対面する側には、該固定框の長手方向に沿う係止板を設けて、その一部に切欠き部を形成し、上記ラッチ部材には、該係止板の切欠き部を通して該切欠き部の内側に係止する係止鈎を設けたことを特徴とする建物開口部枠へのスクリーン装置の取付機構が提供される。
【００１２】
このように、建物開口部枠における取付溝の内側面にガイドされて摺動するラッチ部材の一対の摺動側壁の上記接触面を、該摺動側壁の上下摺動方向長さがそれに直交する幅よりもそれぞれ大きいものとして、ラッチ部材を取付溝の長手方向に摺動させるようにした構成は、該摺動側壁にその長手方向以外の力が作用する可能性を少なくし、ガイド板によりラッチ部材をガイドする機構と相俟って、該摺動側壁の所定方向の円滑な摺動に非常に有効なものであり、特に、該摺動側壁を上記取付溝の口部側の操作可能な部位まで伸長させて、取付溝内におけるラッチ部材の摺動の操作を、該ラッチ部材における摺動側壁の先端というラッチ部材の重心部分から大きく離れたラッチ操作部において行うことから、上記摺動側壁の円滑な摺動は、ラッチ部材の操作のために極めて有効なものである。
【００１３】
上述した固定框の係止板と係止鈎を備えたラッチ部材とは、上記建物開口部における取付溝の所定位置に固定框が装嵌された状態で、上記ラッチ部材の前記ガイド板に沿う上下移動により、上記係止板の切欠き部と上記ラッチ部材の係止鈎とを対向部位に位置させることができ、ラッチ部材の上記対向部位からのガイド板に沿う上下移動により、上記ラッチ部材の係止鈎が上記係止板の切欠き部の縁部に係止するような位置的関係を持つものとして構成されるものである。
【００１４】
本発明の建物開口部枠へのスクリーン装置の取付機構の好ましい実施形態においては、上記固定框のラッチのための機構が、該固定框において、建物開口部枠の取付溝底に対面させて設ける上記係止板を、該固定框よりも幅狭の板状に形成して、該係止板の両側縁の対応位置にそれぞれ切欠き部を形成し、上記ラッチ部材における建物開口部枠の取付溝の内側面にガイドされて摺動する一対の摺動側壁の内側面に、上記係止板の各切欠き部を通して該切欠き部の縁部に係止する一対の係止鈎を設けたものとして構成される。
このような構成は、ラッチ部材における取付溝の内側面にガイドされて摺動する一対の摺動側壁の内側面に設けた一対の係止鈎が、上記係止板の両側に設けた一対の切欠き部を通して該切欠き部の縁部に係止するので、上記固定框を安定的に固定するために有効なものである。
【００１５】
また、本発明の他の好ましい実施形態においては、ラッチ部材における取付溝の内底面に当接して、その両側に上記一対の摺動側壁を相互に連結した摺動底壁の中央部に、該取付溝の長手方向に向く長孔を設け、該長孔内に嵌入して該取付溝の内底面にねじ固定したガイド板の側縁凸条を、上記長孔の対向内側縁上にそれぞれ係止させることにより、上記ラッチ部材を取付溝の溝底に沿って円滑にガイドされるように保持させたものとして構成される。
【００１６】
更に、本発明の他の好ましい実施形態においては、上記ラッチ部材の摺動側壁を上記取付溝の口部の外側まで伸長させて、その先端部を該取付溝の口部外面に沿うように屈曲させ、該屈曲部をラッチ操作部として構成される。これは、ラッチ部材の操作を一層容易化するものである。
【００１７】
本発明の他の好ましい実施形態においては、建物開口部枠の一方の縦枠の内側に、スクリーンの一端側を保持して該スクリーンを収納可能にした固定框を収容する取付溝を、また、建物開口部枠の他方の縦枠の内側に、該スクリーンの他端側に連結した可動框がスクリーンの展張時に当接する受け框を収容する取付溝をそれぞれ備え、受け框についても、上記固定框と同じ取付機構で建物開口部枠の内側に取付可能に構成することができる。
【発明の効果】
【００１８】
以上に詳述した本発明の建物開口部枠へのスクリーン装置の取付機構によれば、建物開口部からの眺望性を損なうことがない状態で建物開口部枠の内側にスクリーン装置を設置するために、建物開口部枠の内側に取付溝を設けてその内部にスクリーン装置の固定框や受け框を取付可能にするにあたり、該固定框や受け框を取付溝内に係脱させるための操作部材を、該取付溝の口部外から容易に操作可することができ、しかも、その操作性も非常に円滑なものとすることができる。また、上記取付溝の溝底側に設置する部材の該溝底への取り付けも、作業性において非常にすぐれたものにすることができる。
【図面の簡単な説明】
【００１９】
【図１】本発明に係るスクリーン装置の取付機構による該スクリーン装置の建物開口部枠への取付状態を示す縦断面図である。
【図２】同水平断面図である。
【図３】図２における折り畳み状態のスクリーンを展張した状態におけるスクリーン装置の水平断面図である。
【図４】上記スクリーン装置の一部破断正面図である。
【図５】建物開口部におけるサッシ取付枠にスクリーン装置を取り付ける状態を示す縦断面図である。
【図６】同水平断面図である。
【図７】（Ａ）は、建物開口部枠の取付溝内にスクリーン装置を取り付けるところのラッチ部材の構成を示す一部破断要部斜視図、（Ｂ）は、ラッチ部材による固定框の係止態様を説明する要部斜視図で、いずれも固定框の非係止の状態を示している。
【図８】（Ａ）は、建物開口部枠の取付溝内にスクリーン装置を取り付けるところのラッチ部材の構成を示す一部破断要部斜視図、（Ｂ）は、ラッチ部材による固定框の係止態様を説明する要部斜視図で、いずれも固定框の係止状態を示している。
【図９】上記ラッチ部材とその取付金具との分解斜視図である。
【図１０】ラッチ部材の変形例を示す一部破断要部斜視図である。
【図１１】固定框の要部背面図である。
【発明を実施するための形態】
【００２０】
図１〜図４は、本発明に係るスクリーン装置１の取付機構を、木製の額縁状に形成された建物開口部枠１０に適用した実施の一例を示し、図中、３１は建物開口部枠１０の外側に設置されたガラス障子を示している。また、図５及び図６は、サッシ取付枠としての建物開口部枠１０に適用した他の実施の一例を示し、図中、３２はガラス障子を備えたサッシを示している。この場合には、サッシ３２によって得られる視界が小さくなることもあり、その視界を遮らない範囲で眺望性を確保すればよい。
なお、スクリーン装置１の取付機構自体はそれらの実施例において相違するところがない。また、上記建物開口部枠１０は、必ずしも木製に限るものではない。
【００２１】
このスクリーン装置１は、防虫、遮光、断熱、目隠し等のために、主として窓や出入り口等の建物開口部に取り付けて使用するもので、それらの目的に応じたスクリーン３を備えている。該スクリーン３は、図２から分かるように、その一端側を支持板３ａに取り付けてそれを固定框４内に保持させ、非展張時には該固定框４内に収納可能とし、また、その他端側は支持板３ｂを取り付けて開閉操作用の可動框５に保持させ、該スクリーン３の収納時には、上記固定框４側に可動框５によりカバーした状態で収納されるものである。両端が固定框４及び可動框５に保持されたスクリーン３は、展張時に可動框５が当接する受け框６と共に、スクリーンユニットを構成するものである。
【００２２】
なお、図示の実施例における上記スクリーン３は、横方向にアコーディオン式に交互の逆方向の折り畳みにより拡縮自在とした防虫ネットとして構成され、このスクリーン３の両端を支持板３ａ，３ｂを介してそれぞれ固定框４及び可動框５に着脱自在に取り付けているが、かかるスクリーンに限らず、バネ付勢された巻取り軸に該バネの付勢力で巻き取るようにしたロールスクリーン等を用いることもできる。
【００２３】
このスクリーンユニット２を備えたスクリーン装置１を建物開口部枠１０の内側に設置するに当たり、建物開口部からの眺望性を損なうことがない状態で建物開口部枠１０の内側にスクリーン装置１を設置するために、該建物開口部枠１０の一対の縦枠１０ａの内側に取付溝１１を設けて、その内部にスクリーン装置１の固定框４や受け框６を取付可能に形成している。但し、上記スクリーン３の一端を保持する固定框４側の取付溝１１では、それに収納時のスクリーン３を保持させて可動框５でカバーするものであるため、スクリーン展張時に可動框５が当接する受け框６に比して見附を大きくする必要があるが、上記受け框６はその構造次第で必ずしも眺望性を損なうものではないので、上記固定框４側のみについて建物開口部枠１０に設けた比較的深い取付溝１１内に該固定框４を収容するようにしてもよい。
また、建物開口部の上下部は、特に眺望性に大きな影響を及ぼすとは限らないので、図面では、単にガイドレール１３を取付溝１２内に設けた構成を示している。
【００２４】
図２〜図４及び図６においては、建物開口部枠１０の一方の縦枠１０ａの内側に、スクリーン３を収納可能にした固定框４を収容する取付溝１１を、また、建物開口部枠１０の他方の縦枠１０ａの内側に、可動框５が当接する受け框６を収容するところの取付溝１１をそれぞれ備えている。以下においては、スクリーン装置１の取付機構の具体的構成を、主として固定框４側について説明するが、受け框６については、上記固定框４と同じ取付機構で建物開口部枠１０の内側に取付可能に構成するので、受け框６の取付機構に特有の構成等を除き、以下においてはその説明を省略する。
【００２５】
図７〜図１１を参照して、上記固定框４を建物開口部枠１０における一方の縦枠１０ａの内側の取付溝１１内に取り付ける構成を具体的に説明すると、まず、上記スクリーン装置１における固定框４は、図３、図４、図７及び図８の各（Ｂ）並びに図１１から分かるように、上記取付溝１１の溝底に対面させて設けた係止板１４を備えている。この係止板１４は、図１１に示すように、該固定框４よりも幅狭で該固定框４の長手方向に沿う板状をなすものであって、該固定框４と一体に形成され、該係止板１４の両側縁の対応位置には、それぞれ切欠き部１５を形成している。この切欠き部１５は、以下に説明する取付溝１１内のラッチ部材２０に対応させて設けるものであり、そのため、取付溝１１内に設けるラッチ部材２０の数に応じて設けられるものである。
【００２６】
一方、上記取付溝１１の内底には、図７〜図９に示すように上記固定框４の係止板１４に係脱するラッチ部材２０を上下動可能にガイドするガイド板１６が固定される。該ガイド板１６によって取付溝１１の内底に取り付けられる上記ラッチ部材２０は、取付溝１１の内底面に当接して摺動する摺動底壁２１の両側に、該取付溝１１の内側面にガイドされて摺動する一対の摺動側壁２３を一体に連結し、上記摺動底壁２１の中央部に、取付溝１１の長手方向に向く長孔２２を設けたものである。
【００２７】
上記ガイド板１６によるラッチ部材２０の保持は、上記長孔２２に沿う摺動底壁２１の下面に、上記ガイド板１６が嵌入してラッチ部材２０と相対移動が可能となる摺動隙間を形成して、そこにガイド板１６を嵌挿した状態で取付溝１１の内底面にねじ１７で固定するため、ガイド板１６の平行な両側から突出する側縁凸条１８を、ラッチ部材２０の取付溝側面に上記摺動隙間を形成するために対向配置した平行な対向凸縁２４上にそれぞれ係止させ、この係止によりラッチ部材２０を取付溝１１の溝底に保持し、ガイド板１６の平行な側縁凸条１８に沿ってラッチ部材２０をガイドできるようにするものである。
【００２８】
また、上記ラッチ部材２０は、その一対の摺動側壁２３のうちの少なくとも一方を、上記取付溝１１の口部側から外部操作可能な部位まで伸長させて、その先端部をラッチ操作部２３ａとし、上記摺動側壁２３における取付溝１１の内側面への接触面の上下摺動方向長さを、それに直交する該接触面の幅よりもそれぞれ大きく形成して摺動の安定化を図っている。そして、このラッチ部材２０における一対の摺動側壁２３の内側面には、上記固定框４における取付溝１１の溝底側に設けた係止板１４の上記切欠き部１５を通して該切欠き部１５の内側の縁部１５ａに係止する係止鈎２６を設けている。
【００２９】
上述のように、建物開口部枠１０における取付溝１１の内側面にガイドされて摺動するラッチ部材２０において、その一対の摺動側壁２３における取付溝１１の内側面に対する接触面が、該摺動側壁２３の上下摺動方向長さをそれに直交する幅よりも大きく形成したものにすると、該摺動側壁２３に対しその長手方向以外の方向に移動させる力が作用する可能性が少なくなるので、ガイド板１６によりラッチ部材２０をガイドする機構と相俟って、該摺動側壁２３を所定方向に円滑に摺動させることができる。特に、取付溝１１内におけるラッチ部材２０の摺動の操作を、該ラッチ部材の上記接触面から大きく離れたラッチ操作部２３ａにおいて行うことから、上記摺動側壁２３の円滑な摺動は、ラッチ部材２０の操作のために極めて有効なものである。
【００３０】
上述した固定框４の係止板１４と係止鈎２６を備えたラッチ部材２０とは、上記建物開口部枠１０における取付溝１１の所定位置に固定框４が装嵌された状態で、上記ラッチ部材２０の前記ガイド板１６に沿う上下移動により、上記係止板１４の切欠き部１５と上記ラッチ部材２０の係止鈎２６とを容易に対向部位に位置させることができ、ラッチ部材２０の上記対向部位からのガイド板１６に沿う上下移動により、上記ラッチ部材２０の係止鈎２６が上記係止板１４の切欠き部１５の内側の縁部１５ａに係止するような位置的関係を持つものとして構成されるものである。
【００３１】
上記ラッチ部材２０を操作するラッチ操作部２３ａは、摺動側壁２３を取付溝１１の口部側から操作可能な部位まで伸長させてその先端部に形成しているが、このラッチ操作部２３ａは、図２及び図３に示すように、必ずしも取付溝１１の外側まで突出させておく必要はなく、取付溝１１の中にあっても、スクリーン３を指先で押し退けて操作できるところまで伸びていればよい。
なお、上記ラッチ部材をより操作しやすい形態にするには、図１０に示すように、摺動側壁２３を上記取付溝１１の口部の外側まで伸長させて、その先端部を該取付溝１１の口部外面に沿うように屈曲させ、その屈曲部をラッチ操作部２３ａとすればよい。
【００３２】
また、上記ラッチ部材２０を、固定框４の係止状態及び係止解除状態に位置決めするため、  図７〜図９に示すように、上記ガイド板１６には、切り起こしにより弾性的に突出する一対の突子２７ａ，２７ｂを設けて、そのいずれかをラッチ部材２０の位置決め孔２９に係脱できるようにすると共に、上記ガイド板１６の表面側にストッパ２８を突出させて、該ガイド板１６によるラッチ部材２０のガイドに供される該ラッチ部材２０の前記長孔２２の端部にそれを係止させるように構成している。
なお、上記ガイド板１６は、弾性のある金属材料によって形成してもよいが、弾性を持つ合成樹脂材料によって成形することもできる。
【００３３】
図７の（Ａ）及び（Ｂ）は、ラッチ部材２０の位置決め孔２９に突子２７ａが係止して、係止板１４の切欠き部１５内にラッチ部材２０の係止鈎２６が位置しているが、切欠き部１５の内側の縁部１５ａにラッチ部材２０の係止鈎２６が係止していないため、固定框４を取付溝１１から離脱できる状態を示し、また、図８の（Ａ）及び（Ｂ）は、ラッチ部材２０を下方に移動させたためにその位置決め孔２９に下位の突子２７ｂが係止し、係止板１４の切欠き部１５内に位置していたラッチ部材２０の係止鈎２６が、切欠き部１５の下位の内側縁部１５ａに係止して、固定框４を取付溝１１から離脱できない係止状態を示している。
【符号の説明】
【００３４】
１      スクリーン装置
３      スクリーン
４      固定框
５      可動框
６      受け框
１０      建物開口部枠
１０ａ    縦枠
１１      取付溝
１４      係止板
１５      切欠き部
１５ａ    縁部
１６      ガイド板
２０      ラッチ部材
２３      摺動側壁
２３ａ    ラッチ操作部
２６      係止鈎
３１      ガラス障子
３２      サッシ
【図１】
2014227806.tif 000003
【図２】
2014227806.tif 000004
【図３】
2014227806.tif 000005
【図４】
2014227806.tif 000006
【図５】
2014227806.tif 000007
【図６】
2014227806.tif 000008
【図７】
2014227806.tif 000009
【図８】
2014227806.tif 000010
【図９】
2014227806.tif 000011
【図１０】
2014227806.tif 000012
【図１１】
2014227806.tif 000013